【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
Ｎ末端ドメイン以外の１又は複数のＣ５ａＲの細胞外ループと反応し、Ｃ５ａのＣ５ａＲへの結合を低減又は阻害する抗体。
【請求項２】
Ｃ５ａＲの第２の細胞外ループ（残基１７５〜２０６）を含むエピトープと反応するものである、請求項１記載の抗体。
【請求項３】
モノクローナル抗体７Ｆ３と同じＣ５ａＲのエピトープと反応し、Ｃ５ａのＣ５ａＲへの結合を低減又は阻害する抗体。
【請求項４】
モノクローナル抗体６Ｃ１２と同じＣ５ａＲのエピトープと反応し、Ｃ５ａのＣ５ａＲへの結合を低減又は阻害する抗体。
【請求項５】
モノクローナル抗体１２Ｄ４と同じＣ５ａＲのエピトープと反応し、Ｃ５ａのＣ５ａＲへの結合を低減又は阻害する抗体。
【請求項６】
Ｃ５ａＲに結合し、モノクローナル抗体７Ｆ３のＣ５ａＲへの結合を競合的に阻害する抗体。
【請求項７】
Ｃ５ａＲに結合し、モノクローナル抗体６Ｃ１２のＣ５ａＲへの結合を競合的に阻害する抗体。
【請求項８】
Ｃ５ａＲに結合し、モノクローナル抗体１２Ｄ４のＣ５ａＲへの結合を競合的に阻害する抗体。
【請求項９】
比較結合特異性が、Ｃ５ａＲ又はＣ５ａＲの細胞外ループを含むポリペプチドの存在下における抗体−抗体競合アッセイにより決定される、請求項６〜８のいずれか１項に記載の抗体。
【請求項１０】
配列番号１９及び配列番号２１にそれぞれ示される軽鎖及び／又は重鎖配列と実質的に同じ配列を含み、Ｃ５ａのＣ５ａＲへの結合を低減又は阻害する抗体。
【請求項１１】
配列番号２６、配列番号２７又は配列番号２８にそれぞれ示される可変重鎖ＣＤＲ１、ＣＤＲ２又はＣＤＲ３ループ配列と実質的に同じである少なくとも１つのＣＤＲループ配列を含み、Ｃ５ａのＣ５ａＲへの結合を低減又は阻害する抗体。
【請求項１２】
配列番号２６、配列番号２７及び配列番号２８にそれぞれ示される可変重鎖ＣＤＲ１、ＣＤＲ２又はＣＤＲ３ループ配列と実質的に同じである少なくとも２つのＣＤＲループ配列を含む、請求項１１記載の抗体。
【請求項１３】
配列番号１９に示される可変軽鎖配列のアミノ酸残基２４〜３９、５５〜６１又は９４〜１０２により実質的に特定される少なくとも１つのＣＤＲループ配列をさらに含む、請求項１１又は１２記載の抗体。
【請求項１４】
配列番号１９に示される可変軽鎖配列のアミノ酸残基２４〜３９、５５〜６１及び９４〜１０２により実質的に特定される少なくとも２つのＣＤＲループ配列を含む、請求項１３記載の抗体。
【請求項１５】
配列番号１５及び配列番号１７にそれぞれ示される軽鎖及び／又は重鎖配列と実質的に同じ配列を含み、Ｃ５ａのＣ５ａＲへの結合を低減又は阻害する抗体。
【請求項１６】
配列番号２９、配列番号３０又は配列番号３１にそれぞれ示される可変重鎖ＣＤＲ１、ＣＤＲ２又はＣＤＲ３ループ配列と実質的に同じである少なくとも１つのＣＤＲループ配列を含み、Ｃ５ａのＣ５ａＲへの結合を低減又は阻害する抗体。
【請求項１７】
配列番号２９、配列番号３０及び配列番号３１にそれぞれ示される可変重鎖ＣＤＲ１、ＣＤＲ２又はＣＤＲ３ループ配列と実質的に同じである少なくとも２つのＣＤＲループ配列を含む、請求項１６記載の抗体。
【請求項１８】
配列番号１５に示される可変軽鎖配列のアミノ酸残基２４〜３９、５５〜６１又は９４〜１０２により実質的に特定される少なくとも１つのＣＤＲループ配列をさらに含む、請求項１６又は１７記載の抗体。
【請求項１９】
配列番号１５に示される可変軽鎖配列のアミノ酸残基２４〜３９、５５〜６１及び９４〜１０２により実質的に特定される少なくとも２つのＣＤＲループ配列を含む、請求項１８記載の抗体。
【請求項２０】
配列番号２３及び配列番号２５にそれぞれ示される軽鎖及び／又は重鎖配列と実質的に同じ配列を含み、Ｃ５ａのＣ５ａＲへの結合を低減又は阻害する抗体。
【請求項２１】
配列番号３２、配列番号３３又は配列番号３４にそれぞれ示される可変重鎖ＣＤＲ１、ＣＤＲ２又はＣＤＲ３ループ配列と実質的に同じである少なくとも１つのＣＤＲループ配列を含み、Ｃ５ａのＣ５ａＲへの結合を低減又は阻害する抗体。
【請求項２２】
配列番号３２、配列番号３３及び配列番号３４にそれぞれ示される可変重鎖ＣＤＲ１、ＣＤＲ２又はＣＤＲ３ループ配列と実質的に同じである少なくとも２つのＣＤＲループ配列を含む、請求項２１記載の抗体。
【請求項２３】
配列番号２３に示される可変軽鎖配列のアミノ酸残基２４〜３９、５５〜６１又は９４〜１０２により実質的に特定される少なくとも１つのＣＤＲループ配列をさらに含む、請求項２１又は２２記載の抗体。
【請求項２４】
配列番号２３に示される可変軽鎖配列のアミノ酸残基２４〜３９、５５〜６１及び９４〜１０２により実質的に特定される少なくとも２つのＣＤＲループ配列を含む、請求項２３記載の抗体。
【請求項２５】
Ｃ５ａ以外の走化因子リガンドによる好中球の活性化をも阻害する、請求項１〜２４のいずれか１項に記載の抗体
【請求項２６】
モノクローナル抗体又は組換え抗体である、請求項１〜２５のいずれか１項に記載の抗体。
【請求項２７】
キメラ抗体又はヒト化抗体である、請求項１〜２５のいずれか１項に記載の抗体。
【請求項２８】
クラスＩｇＧ２ａ又はクラスＩｇＧ３抗体である、請求項１〜２７のいずれか１項に記載の抗体。
【請求項２９】
モノクローナル抗体７Ｆ３、モノクローナル抗体６Ｃ１２及びモノクローナル抗体１２Ｄ４からなる群より選択されるモノクローナル抗体。
【請求項３０】
ＥＣＡＣＣに受託番号００１１０６０９で寄託されているハイブリドーマ。
【請求項３１】
ＥＣＡＣＣに受託番号０２０９０２２６で寄託されているハイブリドーマ。
【請求項３２】
請求項１〜２９のいずれか１項に記載の抗体と治療剤とを含む複合体。
【請求項３３】
治療剤がトキシンである、請求項３２記載の複合体。
【請求項３４】
トキシンがシュードモナスエキソトキシン又はその誘導体である、請求項３２記載の複合体。
【請求項３５】
請求項１〜２９のいずれか１項に記載の抗体と検出用標識を含む複合体。
【請求項３６】
標識が、放射性標識、蛍光標識、酵素標識及び造影剤からなる群より選択される、請求項３５記載の複合体。
【請求項３７】
請求項１〜２９のいずれか１項に記載の抗体をコードする配列を含む、単離された核酸分子。
【請求項３８】
請求項１〜２９のいずれか１項に記載の抗体と薬学的に許容される担体を含む組成物。
【請求項３９】
Ｃ５ａＲ含有細胞とそのリガンドとの相互作用を阻害する方法であって、該細胞を請求項１〜２９のいずれか１項に記載の抗体に暴露するステップを含む、上記方法。
【請求項４０】
細胞においてＣ５ａＲ活性を阻害する方法であって、該細胞を請求項１〜２９のいずれか１項に記載の抗体に暴露するステップを含む、上記方法。
【請求項４１】
薬剤としての請求項１〜２９のいずれか１項に記載の抗体の使用。
【請求項４２】
好中球の移動に関する疾患の治療用薬剤の製造における、請求項１〜２９のいずれか１項に記載の抗体の使用。
【請求項４３】
被験体における好中球の移動に関する疾患の診断方法であって、該被験体から得たサンプルと請求項３６又は３７記載の複合体とをインビトロで接触させるステップ、及び該複合体と該サンプルとの免疫特異的結合を検出するステップを含む、上記方法。
【請求項４４】
好中球の移動に関する疾患の治療用薬剤の製造における、請求項１〜２９のいずれか１項に記載の抗体をコードするポリヌクレオチドの使用。